(57)【要約】【課題】構成の複雑化および製造コストの増加を抑制して、保安灯機能を実行可能とするＬＥＤ照明装置を提供する。【解決手段】ＬＥＤ照明装置１は、照明光と保安光との点灯を切替制御する照明装置であって、複数のＬＥＤ３と、複数のＬＥＤ３に出力電流Ｉoutを供給して複数のＬＥＤ３を点灯駆動する点灯回路５と、点灯回路５を制御する制御部１１ｂとを備える。制御部１１ｂは、前記照明光の点灯時は、点灯回路５の出力電流Ｉoutが第１電流範囲内の電流に制御されて複数のＬＥＤ３から前記照明光が発光されるように、点灯回路５を制御し、前記保安光の点灯時は、点灯回路５の出力電流Ｉoutが前記第１電流範囲の下限電流値以下における第２電流範囲内の電流に制御される共にＰＷＭ制御されて複数のＬＥＤ３から保安光が発光されるように、点灯回路５を制御する。【選択図】図１
2014049406.tif 000002
【特許請求の範囲】
【請求項１】
照明光と保安光との点灯を切替制御するＬＥＤ照明装置であって、
複数の第１発光部と、
前記複数の第１発光部に出力電流を供給して前記複数の第１発光部を点灯駆動する第１点灯回路と、
前記第１点灯回路を制御する制御部と、
を備え、
前記制御部は、
前記照明光の点灯時は、前記出力電流が第１電流範囲内の電流に制御されて前記複数の第１発光部から前記照明光が発光されるように、前記第１点灯回路を制御し、
前記保安光の点灯時は、前記出力電流が前記第１電流範囲の下限電流値以下における第２電流範囲内の電流に制御し、全ての前記第１発光部を点灯させることを特徴とするＬＥＤ照明装置。
【請求項２】
請求項１に記載のＬＥＤ照明装置であって、
前記各第１発光部はそれぞれ、第１光色の光を出射可能であり、
前記第１光色と異なる第２光色の光を出射可能な複数の第２発光部と、
前記複数の第２発光部に出力電流を供給して前記複数の第２発光部を点灯駆動する第２点灯回路と、
を更に備え、
前記第２発光部は、照明光を点灯可能である、ＬＥＤ照明装置。
【請求項３】
請求項１または２に記載のＬＥＤ照明装置であって、
前記制御部は、パルス幅変調制御されて前記複数の第１発光部から前記保安光が発光されるように、前記第１点灯回路を制御する、ＬＥＤ照明装置。
【請求項４】
複数の発光部を備えるＬＥＤ照明装置の点灯制御方法であって、
前記複数の発光部に第１電流範囲内の電流を流し、全ての前記発光部を点灯させる照明光モードと、
前記複数の発光部に前記第１電流範囲の下限電流値以下における第２電流範囲内の電流を流し、全ての前記発光部を点灯させる保安光モードとを有する、ＬＥＤ照明装置の点灯制御方法。
【請求項５】
第１光色の光を出射可能な複数の第１発光部と、前記第１光色とは異なる第２光色の光を出射可能な複数の第２発光部とを備えるＬＥＤ照明装置の点灯制御方法であって、
前記複数の第１発光部への第１電流範囲内の電流の供給と前記複数の第２発光部への第３電流範囲内の電流の供給とのうち少なくとも一方が行われて、電流が供給された発光部の全てが点灯される照明光モードと、
前記複数の第１発光部に前記第１電流範囲の下限電流値以下で且つ前記第３電流範囲の下限電流値以下における第２電流範囲内の電流が流され、全ての前記第１発光部が点灯される保安光モードとを有する、ＬＥＤ照明装置の点灯制御方法。
【請求項６】
請求項４に記載のＬＥＤ照明装置の点灯制御方法であって、
前記保安光モードにおいて、前記発光部に流す電流はパルス幅変調された電流である、ＬＥＤ照明装置の点灯制御方法。
【請求項７】
請求項５に記載のＬＥＤ照明装置の点灯制御方法であって、
前記保安光モードにおいて、前記第１発光部に流す電流はパルス幅変調された電流である、ＬＥＤ照明装置の点灯制御方法。
【発明の詳細な説明】
【技術分野】
【０００１】
本発明は、保安光を点灯する機能を有するＬＥＤ照明装置およびその点灯制御方法に関する。
【背景技術】
【０００２】
近年、白色電球や蛍光灯などの光源に代えて、低消費電力および長寿命等の特性を有するＬＥＤ（発光ダイオード）が照明用発光部として用いられた照明装置が普及しつつある。このような照明装置では、夜間等、照明灯を消灯している間に常夜灯として必要な光量を確保するために、保安灯（常夜灯とも呼ぶ）機能を備えたものがある（例えば特許文献１に関連技術が開示されている）。
【０００３】
特許文献１の照明装置は、複数のＬＥＤを有する光源部と、前記光源部（即ち、前記複数のＬＥＤ）に電力を供給する第１点灯回路と、前記光源部のうちの一のＬＥＤに電力を供給する第２点灯回路と、前記第１点灯回路または前記第２点灯回路に切り替えるための切替部とを備えている。前記第１点灯回路は、前記光源部（即ち、複数のＬＥＤ）に電力を供給する第１電源部と、前記第１電源部と前記光源部との間の給電路を開閉する第１開閉素子とを備えている。また、前記第２点灯回路は、前記光源部の一のＬＥＤに電力を供給する第２電源部と、前記第２電源部と前記一のＬＥＤとの間の給電路を開閉する第２開閉素子とを備えている。
【０００４】
この構成により、前記切替部により前記第１点灯回路に切り替えられると、前記複数のＬＥＤの全部が発光されることで照明光が点灯され、他方、前記切替部により前記第２点灯回路に切り替えられると、前記一のＬＥＤだけが発光されることで保安灯が点灯される。
【先行技術文献】
【特許文献】
【０００５】
【特許文献１】特開２０１１−２２２１２３号公報
【発明の概要】
【発明が解決しようとする課題】
【０００６】
しかしながら、特許文献１の照明装置では、保安灯として、複数のＬＥＤのうちの一のＬＥＤだけを点灯させるので、複数のＬＥＤの全部に電力を供給する第１点灯回路の他に、前記一のＬＥＤだけに電力を供給する第２点灯回路（即ち、保安灯専用の点灯回路）と、第１点灯回路または第２点灯回路に切り替えるための切替部とを更に備える必要があり、構成の複雑化および製造コストの増加を招くという問題点がある。
【０００７】
そこで、本発明は、上記の問題点を鑑みてなされたものであり、構成の複雑化および製造コストの増加を抑制して、保安灯機能を実行可能とすることができるＬＥＤ照明装置およびその点灯制御方法を提供することを目的とする。
【課題を解決するための手段】
【０００８】
本発明の例示的なＬＥＤ照明装置は、照明光と保安光との点灯を切替制御するＬＥＤ照明装置であって、複数の第１発光部と、前記複数の第１発光部に出力電流を供給して前記複数の第１発光部を点灯駆動する第１点灯回路と、前記第１点灯回路を制御する制御部と、を備え、前記制御部は、前記照明光の点灯時は、前記出力電流が第１電流範囲内の電流に制御されて前記複数の第１発光部から前記照明光が発光されるように、前記第１点灯回路を制御し、前記保安光の点灯時は、前記出力電流が前記第１電流範囲の下限電流値以下における第２電流範囲内の電流に制御し、全ての前記第１発光部を点灯させる。
【０００９】
上記の構成によれば、照明光の点灯時は、出力電流が第１電流範囲内の電流に制御されて複数の第１発光部から照明光が発光されるように第１点灯回路が制御され、保安光の点灯時は、出力電流が第１電流範囲の下限電流値以下における第２電流範囲内の電流に制御され、全ての第１発光部が点灯される。即ち、照明光用の第１発光部の全てが保安光用の発光部として用いられる。そのため、照明光用の第１点灯回路を保安光用の点灯回路に兼用でき、保安光専用の点灯回路と、照明光用の第１点灯回路と保安光専用の点灯回路とを切り替えるための切替部とを別途備える必要がなくなるので、構成の複雑化および製造コストの増加を防止して、保安灯機能を実行することができる。なお、上記作用効果は一例である。
【００１０】
本発明のＬＥＤ照明装置は、上記構成を基本とし、例えば以下のような様々な態様をとることができる。また、各態様に対応する作用効果は一例である。
【００１１】
すなわち、本発明の例示的なＬＥＤ照明装置において、前記各第１発光部はそれぞれ、第１光色の光を出射可能であり、前記第１光色と異なる第２光色の光を出射可能な複数の第２発光部と、前記複数の第２発光部に出力電流を供給して前記複数の第２発光部を点灯駆動する第２点灯回路と、を更に備え、前記第２発光部は、照明光を点灯可能であることが好ましい。
【００１２】
上記の構成によれば、第１発光部と異なる光色が出射可能で且つ照明光を点灯可能な第２発光部と、第２発光部を点灯駆動する第２点灯回路とを更に備えるので、第１発光部が出射する第１光色の光と第２発光部が出射する第２光色の光とを組み合わせて照明光を構成することができ、光色が調整可能な照明光を点灯できる。
【００１３】
また、本発明の例示的なＬＥＤ照明装置において、前記制御部は、パルス幅変調制御されて前記複数の第１発光部から前記保安光が発光されるように、前記第１点灯回路を制御する構成とすることが好ましい。
【００１４】
上記の構成によれば、パルス幅変調制御されて複数の第１発光部から保安光が発光されるように、第１点灯回路が制御されるので、保安光（即ち、輝度が小さい光）を高精細に制御して発光させることができる。
【００１５】
また、本発明の例示的なＬＥＤ照明装置の点灯制御方法は、複数の発光部を備えるＬＥＤ照明装置の点灯制御方法であって、前記複数の発光部に第１電流範囲内の電流を流し、全ての前記発光部を点灯させる照明光モードと、前記複数の発光部に前記第１電流範囲の下限電流値以下における第２電流範囲内の電流を流し、全ての前記発光部を点灯させる保安光モードとを有する。
【００１６】
上記の構成によれば、複数の発光部に第１電流範囲内の電流が流され、全ての発光部が点灯される照明光モードと、複数の発光部に第１電流範囲の下限電流値以下における第２電流範囲内の電流が流され、全ての発光部が点灯される保安光モードとを有するので、照明用の発光部の全てが保安光用の発光部として用いられる。そのため、照明用の点灯回路を保安光用の点灯回路に兼用でき、保安光専用の点灯回路と、照明用の点灯回路と保安光専用の点灯回路とを切り替えるための切替部とを別途備える必要がなくなるので、構成の複雑化および製造コストの増加を防止して、保安灯機能を実行することができる。なお、上記作用効果は一例である。
【００１７】
また、本発明の例示的なＬＥＤ照明装置の点灯制御方法は、第１光色の光を出射可能な複数の第１発光部と、前記第１光色とは異なる第２光色の光を出射可能な複数の第２発光部とを備えるＬＥＤ照明装置の点灯制御方法であって、前記複数の第１発光部への第１電流範囲内の電流の供給と前記複数の第２発光部への第３電流範囲内の電流の供給とのうち少なくとも一方が行われて、電流が供給された発光部の全てが点灯される照明光モードと、前記複数の第１発光部に前記第１電流範囲の下限電流値以下で且つ前記第３電流範囲の下限電流値以下における第２電流範囲内の電流が流され、全ての前記第１発光部が点灯される保安光モードとを有する。
【００１８】
上記の構成によれば、複数の第１発光部への第１電流範囲内の電流の供給と複数の第２発光部への第３電流範囲内の電流の供給とのうち少なくとも一方が行われて、電流が供給された発光部の全てが点灯される照明光モードと、複数の第１発光部に第１電流範囲の下限電流値以下で且つ第３電流範囲の下限電流値以下における第２電流範囲内の電流が流され、全ての第１発光部が点灯される保安光モードとを有するので、照明用の発光部の全てが保安光用の発光部として用いられる。そのため、照明用の点灯回路を保安光用の点灯回路に兼用でき、保安光専用の点灯回路と、照明用の点灯回路と保安光専用の点灯回路とを切り替えるための切替部とを別途備える必要がなくなるので、構成の複雑化および製造コストの増加を防止して、保安灯機能を実行することができる。なお、上記作用効果は一例である。
【００１９】
本発明のＬＥＤ照明装置の点灯制御方法は、上記構成を基本とし、例えば以下のような様々な態様をとることができる。また、各態様に対応する作用効果は一例である。
【００２０】
すなわち、本発明の例示的なＬＥＤ照明装置の点灯制御方法において、前記保安光モードにおいて、前記発光部に流す電流はパルス幅変調された電流であることが望ましい。
【００２１】
上記の構成によれば、保安光モードにおいて、発光部に流す電流はパルス幅変調された電流であるので、保安光（即ち、輝度が小さい光）を高精細に制御して発光させることができる。
【００２２】
また、本発明の例示的なＬＥＤ照明装置の点灯制御方法において、前記保安光モードにおいて、前記第１発光部に流す電流はパルス幅変調された電流であることが望ましい。
【００２３】
上記の構成によれば、保安光モードにおいて、第１発光部に流す電流はパルス幅変調された電流であるので、保安光（即ち、輝度が小さい光）を高精細に制御して発光させることができる。
【発明の効果】
【００２４】
本発明のＬＥＤ照明装置およびその点灯制御方法によれば、構成の複雑化および製造コストの増加を抑制して、保安灯機能を実行可能とすることができる。
【図面の簡単な説明】
【００２５】
【図１】本発明の第１実施形態に係るＬＥＤ照明装置の構成概略図である。
【図２】本発明の第１実施形態に係るＬＥＤ照明装置の動作を説明するフローチャートである。
【図３】本発明の第２実施形態に係るＬＥＤ照明装置の構成概略図である。
【図４】本発明の第２実施形態に係るＬＥＤ照明装置の動作を説明するフローチャートである。
【発明を実施するための形態】
【００２６】
以下、本発明の実施形態を添付図面を参照して詳細に説明する。
【００２７】
≪第１実施形態≫
＜構成説明＞
図１は、本発明の第１実施形態に係るＬＥＤ照明装置の構成概略図である。なお、以下の説明において、「ＬＥＤ照明装置」を「照明装置」と称する場合がある。また、本発明およびそれにかかる実施形態は、ＬＥＤを備えた照明装置について説明しているが、ＯＬＥＤ（Organic LED）を備える照明装置にも適用可能である。
【００２８】
本実施形態に係る照明装置１は、照明光と保安光との点灯を切替制御する照明装置であって、保安光用の発光部として照明用の複数のＬＥＤ３の全てを用いることで、照明用の点灯回路５を保安光用の点灯回路として兼用可能にしたものである。ここで、「照明光」とは、照明装置１を設置している空間を意図的に明るく照らすことができる程度の光量を有する光である。「保安光」とは、照明光を消灯している夜間に常夜灯として必要な光量を確保するための光である。また、照明装置１が照明光を点灯させている状態を「照明光モード」と称し、照明装置が保安光を点灯させている状態を「保安光モード」と称する。以下、図１に基づいて、照明装置１について詳説する。
【００２９】
照明装置１は、直流電源である電源Ｂと、複数のＬＥＤ３（第１発光部、発光部）３と、電源Ｂを用いて複数のＬＥＤ３に電流を出力（供給）して複数のＬＥＤ３を点灯駆動する点灯回路（第１点灯回路）５と、点灯回路５の出力電流Ｉout1を複数のＬＥＤ３に供給するための給電路７と、照明装置１に対する操作を入力するための操作入力装置９と、操作入力装置９への入力操作に応じて点灯回路５を制御する制御装置１１とを備えている。
【００３０】
ここでは、点灯回路５の出力電流Ｉout1は、照明光の点灯時は、第１電流範囲（例えば４００〜２０〔ｍＡ〕）（所定電流範囲）内で制御され、保安光の点灯時は、前記第１電流範囲の下限電流値以下または未満の第２電流範囲（例えば２〜０．２〔ｍＡ〕）内で制御される。また、照明光の光束範囲は例えば４０００〜２００〔ｌｍ〕内で制御され、保安光の光束範囲は例えば２０〜２〔ｌｍ〕内で制御される。
【００３１】
各ＬＥＤ３はそれぞれ、例えば互いに同じ光色（例えば２７００Ｋ（ケルビン）の暖色系の相関色温度）の光を出射可能な発光ダイオード（以後、ＬＥＤと呼ぶ）として構成されている。なお、ＬＥＤ３が出射する光は、暖色系に限らず、寒色系（例えば６５００Ｋ）であってもよい。ＬＥＤ３は、給電路７において互いに順方向に直列接続されている。ここでは、各ＬＥＤ３は、互いに直列接続されて給電路７に接続されるが、互いに順方向に向けて並列接続されて給電路７に接続されてもよく、または、直列接続および並列接続を組み合わせて給電路７に接続されてもよい。
【００３２】
点灯回路５は、出力電流Ｉout1の電流値が制御可能なスイッチング電源回路（電源回路）５１と、スイッチング電源回路５１の出力電流Ｉout1に所要の電流値制御する定電流回路５２とを備えている。
【００３３】
スイッチング電源回路５１は、スイッチング素子Ｑ１１と、スイッチング素子Ｑ１１のデューティー比に応じて電圧ＶBを変圧して出力する変圧器（例えば高周波変圧器）Ｔ１と、変圧器Ｔ１の出力電流を整流平滑するダイオードＤ１およびコンデンサＣ１と、定電流回路５２からの制御信号（ここでは光信号）を受光する受光素子ＰＣ１１と、受光素子ＰＣ１１が受光した制御信号に応じてスイッチング素子Ｑ１１をオンオフ制御する制御部ＩＣ１１とを備えている。
【００３４】
ダイオードＤ１およびコンデンサＣ１により整流平滑された変圧器Ｔ１の出力電圧および出力電流がそれぞれ、スイッチング電源回路５１（従って点灯回路５）の出力電圧Ｖout1および出力電流Ｉout1となる。
【００３５】
変圧器Ｔ１は、環状の鉄心（図示省略）と、前記鉄芯に巻回された１次側巻線ｎ１および２次側巻線ｎ２とを備えている。１次側巻線ｎ１の一端は、第１電源線Ｐ１を介して電源Ｂの陽極に接続され、１次側巻線ｎ１の他端は、スイッチング素子Ｑ１１と第１基準線Ｎ１とを介して電源Ｂの負極に接続されている。２次側巻線ｎ１の一端は、ダイオードＤ１を介して第２電源線Ｐ２に接続され、２次側巻線ｎ２の他端は、第２基準線Ｎ２に接続されている。
【００３６】
なお、第２電源線Ｐ２と第２基準線Ｎ２とは配線Ｈ１と抵抗Ｒ１２とを介して相互接続されており、配線Ｈ１上に複数のＬＥＤ３が接続されている。なお、第２電源線Ｐ２、第２基準線Ｎ２および配線Ｈにより給電路７が構成される。
【００３７】
ダイオードＤ１は、第２電源線Ｐ２に順方向接続されている。コンデンサＣ１は、ダイオードＤ１のカソード側において、第２電源線Ｐ２と第２基準線Ｎ２とに接続されている。
【００３８】
スイッチング素子Ｑ１１は、例えばＮチャネルＭＯＳＦＥＴとして構成される。スイッチング素子Ｑ１１は、電源Ｂと１次側巻線ｎ１とを繋ぐ配線（例えば第１基準線Ｎ１）上において、スイッチング素子Ｑ１１のドレインが１次側巻線ｎ１に接続されると共にスイッチング素子Ｑ１１のソースが電源Ｂの負極に接続されるように、介装接続されている。スイッチング素子Ｑ１１のゲートは、制御部ＩＣ１１に接続されている。
【００３９】
受光素子ＰＣ１１は、例えばフォトトランジスタとして構成されている。受光素子ＰＣ１１のコレクタは、制御部ＩＣ１１に接続され、受光素子ＰＣ１１のエミッタは、第１基準線Ｎ１に接続されている。受光素子ＰＣ１１は、光を受光することにより導通状態となり、制御部ＩＣ１１を通電させる。受光素子ＰＣ１１は、受光素子ＰＣ１１の単位時間当たりの受光量が多いほど、制御部ＩＣ１１を通電させる電流量は大きくなる。なお、受光素子ＰＣ１１は、定電流回路５２の発光素子ＰＣ１２と共にフォトカプラを構成している。
【００４０】
制御部ＩＣ１１は、スイッチング素子Ｑ１１の制御端子に送るパルスのパルス幅を変調することで、電源Ｂから１次側巻線ｎ１に入力される電圧ＶBをＰＷＭ制御する。これにより、２次側巻線ｎ２の両端にデューティー比に応じた電圧値の電圧Ｖout1が発生する。電圧Ｖout1に応じた電流（即ち、点灯回路５の出力電流）Ｉout1が、第２電源線Ｐ２、配線Ｈ１、第２電源線Ｎ２および２次側巻線ｎ２の順に流れる。これにより、点灯回路５の出力電流Ｉout1が、給電路７を通じて各ＬＥＤ３に供給される。
【００４１】
その際、制御部ＩＣ１１は、受光素子ＰＣ１１から出力される信号に応じて、スイッチング素子Ｑ１１のデューティー比を変化させることで、点灯回路５の出力電流Ｉout1の電流値を変化させる。ここでは、受光素子ＰＣ１１から出力される信号レベルが大きくなるほど、制御部ＩＣ１１は、スイッチング素子Ｑ１１のデューティー比を小さくして、点灯回路５の出力電流Ｉout1を低減させる。また、受光素子ＰＣ１１から出力される信号レベルが小さくなるほど、制御部ＩＣ１１は、スイッチング素子Ｑ１１のデューティー比を大きくして、点灯回路５の出力電流Ｉout1を増加させる。
【００４２】
定電流回路５２は、給電路７に接続された抵抗Ｒ１２と、抵抗Ｒ１２の両端電圧と所定の参照電圧Ｖref1とを入力しそれらの大小比較を行う比較回路ＯＡ１２と、比較回路ＯＡ１２の比較結果に基づいて制御信号（ここでは光信号）を制御部ＩＣ１１に送るフィードバック回路５２ａと、比較回路ＯＡ１２に入力される所定の参照電圧Ｖref1をＰＷＭ制御するためのスイッチング素子Ｑ１３とを備えている。
【００４３】
抵抗Ｒ１２は、例えば配線Ｈ１における複数のＬＥＤ３のカソード側に接続されている。
【００４４】
比較回路ＯＡ１２は、非反転入力端子ｔ１と、反転入力端子ｔ２と、出力端子ｔ３とを有している。非反転入力端子ｔ１は、抵抗Ｒ１２の上流側端部に接続されており、抵抗Ｒ１２の上流側端部の電位（即ち、抵抗Ｒ１２の両端電圧）が入力される。
【００４５】
反転入力端子ｔ２は、制御装置１１に接続されると共にスイッチング素子Ｑ１３を介して第２基準線Ｎ２に接続される。スイッチング素子Ｑ１３のオフ時は、反転入力端子ｔ２には、制御装置１１から出力される所定の参照電圧Ｖref1が入力される。他方、スイッチング素子Ｑ１３のオン時は、スイッチング素子Ｑ１３を介して反転入力端子ｔ２と第２基準線Ｎ２とが短絡するので、反転入力端子ｔ２の電圧はオンとなる。よって、スイッチング素子Ｑ１３がＰＷＭ制御されることで、反転入力端子ｔ２に入力される所定の参照電圧Ｖref1がＰＷＭ制御される。
【００４６】
出力端子ｔ３からは、比較回路ＯＡ１２の大小比較の結果を示す信号が出力され、フィードバック回路５２ａに入力される。
【００４７】
スイッチング素子Ｑ１３は、例えばＮＰＮトランジスタとして構成される。スイッチング素子Ｑ１３のエミッタ、第２基準線Ｎ２（低電位源）に接続され、スイッチング素子Ｑ１３のコレクタは、比較回路ＯＡ１２の反転入力端子ｔ２に接続され、スイッチング素子Ｑ１３のベースは、制御装置１１に接続されている。
【００４８】
フィードバック回路５２ａは、第２電源線Ｐ２と第２基準線Ｎ２との間において、抵抗Ｒ１１、発光素子（例えばフォトダイオード）ＰＣ１２およびスイッチング素子Ｑ１２が直列接続されて構成される。発光素子ＰＣ１２のアノードは、抵抗Ｒ１１に接続され、発光素子ＰＣ１２のカソードは、スイッチング素子Ｑ１２のコレクタに接続されている。スイッチング素子Ｑ１２は、例えばＮＰＮトランジスタとして構成される。スイッチング素子Ｑ１２のエミッタは、第２基準線Ｎ２に接続され、スイッチング素子Ｑ１２のコレクタは、発光素子ＰＣ１２に接続され、スイッチング素子Ｑ１２のベースは、比較回路ＯＡ１２の出力端子ｔ３に接続されている。
【００４９】
フィードバック回路５２ａでは、スイッチング素子Ｑ１２が導通することにより、第２電源線Ｐ２からの電流が順に抵抗Ｒ１１、発光素子ＰＣ１２およびスイッチング素子Ｑ１２を通じて第２基準線Ｎ２に流れる。これにより、発光素子ＰＣ１２から当該電流の通電量に応じた輝度の光信号（制御信号）が受光素子ＰＣ１１に発信される。
【００５０】
また、点灯回路５では、スイッチング電源回路５１の出力電流Ｉout1が給電路７を通じて各ＬＥＤ３および抵抗Ｒ１２を順に流れて、抵抗Ｒ１２の両端に電圧が発生し、抵抗Ｒ１２の両端に発生した電圧が比較回路ＯＡ１２の非反転入力端子ｔ１に入力される。スイッチング素子Ｑ１３のオフ時は、比較回路ＯＡ１２の反転入力端子ｔ２には所定の参照電圧Ｖref1がそのまま入力され、比較回路ＯＡ１２により各端子ｔ１，ｔ２に入力された電圧の大小比較が行われる。
【００５１】
比較回路ＯＡ１２は、電圧の大小比較の結果、抵抗Ｒ１２の両端電圧が所定の参照電圧Ｖref1以上の場合は、比較回路ＯＡ１２の出力端子ｔ３からの出力信号がＨ（ハイ）レベルとなる。これにより、順に、（ａ１）スイッチング素子Ｑ１２の制御端子への入力電流が増加してスイッチング素子Ｑ１２を導通する電流が増加し、（ａ２）発光素子ＰＣ１２に流れる電流が増加して発光素子ＰＣ１２の発光量が増加し、（ａ３）受光素子ＰＣ１１の受光量が増加して制御部ＩＣ１１の通電量が増加する。
【００５２】
制御部ＩＣ１１は、通電量の増加に応じて、スイッチング素子Ｑ１１のＰＷＭ制御のオン時間を短縮する。これにより、順に、（ａ４）スイッチング電源回路５１の出力電圧（即ち、点灯回路５の出力電圧）Ｖout1が低下してスイッチング電源回路５１の出力電流（即ち、点灯回路５の出力電流）Ｉout1が減少し、（ａ５）抵抗Ｒ１２に流れる電流が減少して抵抗Ｒ１２の両端電圧が低下する。
【００５３】
他方、比較回路ＯＡ１２は、電圧の大小比較の結果、抵抗Ｒ１２の両端電圧が所定の参照電圧Ｖref1未満の場合は、比較回路ＯＡ１２の出力端子ｔ３からの出力信号がＬ（ロー）レベルとなる。これにより、順に、（ｂ１）スイッチング素子Ｑ１２の制御端子への入力電流が減少してスイッチング素子Ｑ１２を導通する電流が減少し、（ｂ２）発光素子ＰＣ１２に流れる電流が減少して発光素子ＰＣ１２の発光量が減少し、（ｂ３）受光素子ＰＣ１１の受光量が減少して制御部ＩＣ１１の通電量が減少する。
【００５４】
制御部ＩＣ１１は、通電量の減少に応じて、スイッチング素子Ｑ１１のＰＷＭ制御のオン時間を長くする。これにより、順に、（ｂ４）スイッチング電源回路５１の出力電圧Ｖoutが上昇してスイッチング電源回路５１の出力電流Ｉout1が増加し、（ｂ５）抵抗Ｒ１２に流れる電流が増加して抵抗Ｒ１２の両端電圧が上昇する。
【００５５】
つまり、スイッチング電源回路５１の出力電流Ｉout1が減少して抵抗Ｒ１２の両端電圧が所定の参照電圧Ｖref1未満になると、定電流回路５２により、抵抗Ｒ１２の両端電圧が所定の参照電圧Ｖref1に一致するように、スイッチング電源回路５１が制御されてスイッチング電源回路５１の出力電流Ｉout1が増加される。
【００５６】
このように、スイッチング素子Ｑ１３のオフ時は、スイッチング電源回路５１の出力電流Ｉout1は、比較回路ＯＡ１２の反転入力端子ｔ２に入力される所定の参照電圧Ｖref1に応じた電流（＝（所定の参照電圧Ｖref1）／（抵抗Ｒ１２の抵抗値））に一致するように制御される。
【００５７】
なお、スイッチング素子Ｑ１３のオン時は、比較回路ＯＡ１２の反転入力端子ｔ２の電圧が０〔Ｖ〕となり、出力電流Ｉoutは０〔Ａ〕となる。
【００５８】
制御装置１１は、操作入力装置９の入力操作に応じて、各ＬＥＤ３から照明光および保安光を選択的に発光させるように、点灯回路５を制御する。
【００５９】
より詳細には、制御装置１１は、操作入力装置９からの操作信号を受信する受信部１１ａと、受信部１１ａにより受信された操作信号に基づいて点灯回路５を制御する制御部１１ｂとを備えている。
【００６０】
操作入力装置９には、照明光の点灯（即ち、照明光モード）または保安光の点灯（即ち、保安灯モード）を選択する選択操作、および、選択した点灯の輝度（光束）を調整する調光操作が入力可能である。操作入力装置９は、選択操作または調光操作が入力されると、それらの操作内容を含む操作信号を例えば無線信号（赤外線等）として受信部１１ａに送信する。
【００６１】
制御部１１ｂは、受信部１１ａにより受信された操作信号に基づいて、点灯回路５のスイッチング素子Ｑ１３をオンオフ制御すると共に比較回路ＯＡ１２の反転入力端子ｔ２に入力する所定の参照電圧Ｖref1を制御する。
【００６２】
より詳細には、制御部１１ｂは、受信部１１ａにより受信された操作信号に、照明光の点灯を選択する選択操作が含まれる場合は、各ＬＥＤ３から第１輝度（例えば照明光の初期設定輝度）の光が発光されるように点灯回路５を制御する。より詳細には、制御部１１ｂは、点灯回路５のスイッチング素子Ｑ１３をオフ制御すると共に、点灯回路５の出力電流Ｉout1が照明用の前記第１電流範囲内の第１電流値の電流（前記第１輝度に対応した電流）になるように、比較回路ＯＡ１２の反転入力端子ｔ２に入力する所定の参照電圧Ｖref1を前記第１電流値の電流に対応する第１電圧（＝（前記第１電流値）×（抵抗Ｒ１２の抵抗値））に制御（ＤＣ（直流）制御）する。これにより、点灯回路５の出力電流Ｉout1が前記第１電流値の電流が制御（ＤＣ制御）されて、各ＬＥＤ３から前記第１輝度の光（照明光）が発光される。
【００６３】
照明光の点灯状態で、制御部１１ｂは、受信部１１ａにより受信された操作信号に、照明光の輝度を調整する調光操作が含まれる場合は、各ＬＥＤ３の輝度が当該調光操作で指定された所望の輝度になるように点灯回路５を制御する。より詳細には、制御部１１ｂは、点灯回路５の出力電流Ｉout1が前記第１電流範囲内で当該所望の輝度に対応した電流に制御されるように、比較回路ＯＡ１２の反転入力端子ｔ２に入力する所定の参照電圧Ｖref1を制御（ＤＣ制御）する。これにより、点灯回路５の出力電流（即ち、各ＬＥＤ３に供給される電流）Ｉout1が当該所望の輝度に対応した電流に制御（ＤＣ制御）されて、各ＬＥＤ３の輝度（即ち、照明光の輝度）が当該所望の輝度に制御される。
【００６４】
このように、照明光モードでは、複数のＬＥＤ３に第１電流範囲内の電流が流されて、全てのＬＥＤ３が点灯される。
【００６５】
また、制御部１１ｂは、受信部１１ａにより受信された操作信号に、保安光の点灯を選択する選択操作が含まれる場合は、各ＬＥＤ３から第２輝度（例えば保安光の初期設定輝度）の光が発光されるように点灯回路５を制御する。より詳細には、制御部１１ｂは、比較回路ＯＡ１２の反転入力端子ｔ２に入力する所定の参照電圧Ｖref1を前記第２電流範囲内の第２電流値（例えば前記第２電流範囲の上限電流値）に対応する第２電圧（＝（抵抗Ｒ１２の抵抗値）×（前記第２電流値））に制御すると共に、スイッチング素子Ｑ１３を第１デューティー比（例えば初期設定デューティー比）でＰＷＭ制御する。なお、第２電流範囲の上限電流値は、第１電流範囲の下限電流値以下である。
【００６６】
これにより、点灯回路５の出力電流Ｉout1は、前記第２電流値の電流に制御されると共に前記第１デューティー比でＰＷＭ制御されることで、前記第２電流範囲内の電流であって、前記第２電流値と値０の電流値とを前記第１デューティー比で平均化した平均電流値の電流に制御されて、給電路７を通じて各ＬＥＤ３に供給される。これにより、各ＬＥＤ３は、前記平均電流値に対応した平均輝度（即ち、前記第２輝度）の光（即ち、保安光）で発光される。
【００６７】
保安光の点灯状態で、制御部１１ｂは、受信部１１ａにより受信された操作信号に、保安光の輝度を調整する調光操作が含まれる場合は、各ＬＥＤ３の輝度が当該調光操作で指定された所望の輝度になるように点灯回路５を制御する。より詳細には、制御部１１ｂは、点灯回路５の出力電流Ｉout1が前記第２電流範囲内で当該所望の輝度に対応した電流に制御されるように、スイッチング素子Ｑ１３のデューティー比を制御する。これにより、点灯回路５の出力電流（即ち、各ＬＥＤ３に供給される前記平均電流）Ｉout1が当該所望の輝度に対応した電流に制御されて、各ＬＥＤ３の輝度（即ち、保安光の輝度）が当該所望の輝度に制御される。
【００６８】
このように、保安光モードでは、複数のＬＥＤ３に前記第１電流範囲の下限電流値以下における第２電流範囲内の電流が流されて、全てのＬＥＤ３が点灯される。
【００６９】
なお、制御部１１ｂＢには、例えば、照明光および保安光の各々の輝度と、これら各輝度に必要なＬＥＤ３の輝度との対応関係が記載されたテーブルが記憶されている。制御部１１ｂＢは、前記テーブルを参照して、調光操作で指定された照明光または保安光の所望の輝度に対応する各ＬＥＤ３の輝度を選択して、照明光または保安光の輝度が当該所望の輝度となるように、各ＬＥＤ３の輝度を制御している。
【００７０】
＜動作説明＞
次に、図２に基づいて照明装置１の動作を説明する。図２は、照明装置１の動作を説明するフローチャートである。
【００７１】
ステップＳ１で、受信部１１ａは、操作入力装置９から送信される操作信号を受信可能な状態で待機する。操作入力装置９に照明光の点灯（即ち、照明光モード）を選択する選択操作が入力された場合（ＹＥＳ）は、照明装置１は処理がステップＳ２に進む。他方、操作入力装置９に照明光の点灯を選択する選択操作が入力されない場合（ＮＯ）は、照明装置１は処理がステップＳ５に進む。
【００７２】
ステップＳ２では、操作入力装置９に入力された操作（即ち、照明光の点灯を選択する選択操作）の内容を含む操作信号が、操作入力装置９から制御装置１１の受信部１１ａに送信される。受信部１１ａは、操作信号を受信する。次に、制御部１１ｂは、受信部１１ａに受信された操作信号に含まれる選択操作に応じて、各ＬＥＤ３から第１輝度（例えば照明光の初期設定輝度）の光が発光されるように点灯回路５を制御する。より詳細には、制御部１１ｂは、スイッチング素子Ｑ１３をオフ制御すると共に、点灯回路５の出力電流Ｉout1が照明用の前記第１電流範囲内の第１電流値の電流（即ち、前記第１輝度に対応した電流）になるように、比較回路ＯＡ１２の反転入力端子ｔ２に入力される所定の参照電圧Ｖref1を前記第１電流値の電流に対応する第１電圧（＝（前記第１電流値）×（抵抗Ｒ１２の抵抗値））に制御する。これにより、点灯回路５の出力電流Ｉout1が、前記第１電流値の電流に制御されて給電路７を通じて各ＬＥＤ３に供給されて、各ＬＥＤ３が前記第１輝度の光（即ち、照明光）を発光して、照明光が点灯される。次に、照明装置１は処理がステップＳ３に進む。
【００７３】
ステップＳ３では、受信部１１ａは、操作入力装置９から送信される操作信号を受信可能な状態で待機する。操作入力装置９に照明光の調光操作が入力された場合（ＹＥＳ）は、照明装置１は処理がステップＳ４に進む。他方、操作入力装置９に照明光の調光操作が入力されない場合（ＮＯ）は、照明装置１は処理がステップＳ１に戻る。
【００７４】
ステップＳ４では、操作入力装置９に入力された操作（即ち、照明光の調光操作）の内容を含む操作信号が、操作入力装置９から制御装置１１の受信部１１ａに送信される。受信部１１ａは操作信号を受信する。次に、制御部１１ｂは、受信部１１ａにより受信された操作信号に含まれる調光操作に応じて、点灯回路５の出力電流Ｉout1が当該調光操作で指定された所望の輝度になるように点灯回路５を制御する。より詳細には、制御部１１ｂは、比較回路ＯＡ１２の反転入力端子ｔ２に入力される所定の参照電圧Ｖref1が当該所望の輝度に対応した電流になるように、所定の参照電圧Ｖref1を制御する。これにより、点灯回路５の出力電流Ｉout1が当該所望の輝度に対応する電流に制御されて、各ＬＥＤ３の輝度（従って照明光の輝度）が当該所望の輝度に制御される。次に、照明装置１は処理がステップＳ１に戻る。
【００７５】
ステップＳ５では、受信部１１ａは、操作入力装置９から送信される操作信号を受信可能な状態で待機する。操作入力装置９に保安光の点灯（即ち、保安光モード）を選択する選択操作が入力された場合（ＹＥＳ）は、照明装置１は処理がステップＳ６に進む。他方、操作入力装置９に保安光の点灯を選択する選択操作が入力されない場合（ＮＯ）は、照明装置１は処理がステップＳ９に進む。
【００７６】
ステップＳ６では、操作入力装置９に入力された操作（即ち、保安光の点灯を選択する選択操作）の内容を含む操作信号が、操作入力装置９から制御装置１１の受信部１１ａに送信される。受信部１１ａは操作信号を受信する。次に、制御部１１ｂは、受信部１１ａにより受信された操作信号に含まれる選択操作に応じて、各ＬＥＤ３から第２輝度（例えば保安光の初期設定輝度）の光が発光されるように点灯回路５を制御する。より詳細には、制御部１１ｂは、比較回路ＯＡ１２の反転入力端子ｔ２に入力される所定の参照電圧Ｖref1を前記第２電流範囲内の第２電流値（例えば前記第２電流範囲の上限電流値）に対応する所定の電圧（＝（前記上限電流値）×（抵抗Ｒ１２の抵抗値））に制御すると共に、スイッチング素子Ｑ１３を第１デューティー比（例えば初期設定デューティー比）でＰＷＭ制御する。
【００７７】
これにより、点灯回路５の出力電流Ｉout1が、前記第２電流値と値０の電流値とを前記第１デューティー比で平均化された平均電流値の電流に制御されて、給電路７を通じて各ＬＥＤ３に供給されて、各ＬＥＤ３が、前記平均電流値に対応した平均輝度（即ち前記第２輝度）の光（即ち、保安光）で発光される。次に、照明装置１は処理がステップＳ７に進む。
【００７８】
ステップＳ７では、受信部１１ａは、操作入力装置９から送信される操作信号を受信可能な状態で待機する。操作入力装置９に保安光の調光操作が入力された場合（ＹＥＳ）は、照明装置１は処理がステップＳ８に進む。他方、操作入力装置９に保安光の調光操作が入力されない場合（ＮＯ）は、照明装置１は処理がステップＳ１に戻る。
【００７９】
ステップＳ８では、操作入力装置９に入力された操作（即ち、保安光の調光操作）の内容を含む操作信号が、操作入力装置９から制御装置１１の受信部１１ａに送信される。受信部１１ａは操作信号を受信する。次に、制御部１１ｂは、受信部１１ａにより受信された操作信号に含まれる調光操作に応じて、保安光の輝度が当該調光操作で指定された所望の輝度になるように点灯回路５を制御する。より詳細には、制御部１１ｂは、点灯回路５の出力電流Ｉoutが前記第２電流範囲内で当該所望の輝度に対応した電流に制御されるように、スイッチング素子Ｑ１３のデューティー比を制御する。これにより、点灯回路５の出力電流Ｉout1が当該所望の輝度に対応する電流に制御されて、各ＬＥＤ３の前記平均輝度（即ち、保安光の輝度）が当該所望の輝度に制御される。次に、照明装置１は処理がステップＳ１に戻る。
【００８０】
ステップＳ９では、受信部１１ａは、操作入力装置９から送信される操作信号を受信可能な状態で待機する。操作入力装置９に照明光及び保安光の消灯を選択する操作（消灯操作）が入力された場合（ＹＥＳ）は、照明装置１は処理がステップＳ１０に進む。他方、操作入力装置９に照明光及び保安光の消灯を選択する操作が入力されない場合（ＮＯ）は、照明装置１は処理がステップＳ１に戻る。
【００８１】
ステップＳ１０では、制御部１１ｂは、受信部１１ａに受信された操作信号に含まれる消灯操作に応じて、各ＬＥＤ３が消灯するように点灯回路５を制御する。次に、照明装置１は処理が終了する。
【００８２】
このように、照明装置１では、照明用の各ＬＥＤ３の全てが保安光用の発光部として兼用されると共に、照明用の点灯回路５が保安光用の点灯回路として兼用されて、保安光の点灯および調光が行われる。
【００８３】
＜主要な効果＞
以上のように構成された照明装置１によれば、照明光の点灯時は、出力電流Ｉout1が第１電流範囲内の電流に制御されて複数のＬＥＤ３から照明光が発光されるように点灯回路５が制御され、保安光の点灯時は、出力電流Ｉout1が第１電流範囲の下限電流値以下における第２電流範囲内の電流に制御され、全てのＬＥＤ３が点灯される。即ち、照明光用のＬＥＤ３の全てが保安光用の発光部として用いられる。そのため、保安光用のＬＥＤ及びその点灯回路を別途備える必要がなくなるので、構成の複雑化および製造コストの増加を抑えることができる。
【００８４】
また、パルス幅変調制御されて複数のＬＥＤ３から保安光が発光されるように、点灯回路５が制御されるので、保安光（即ち、輝度が小さい光）を高精細に制御して発光させることができる。
【００８５】
また、点灯回路５は、給電路７に接続された抵抗Ｒ１２の両端電圧が所定の参照電圧Ｖref1に一致するようにスイッチング電源回路５２の出力電流Ｉoutが制御される構成であるので、所定の参照電圧Ｖref1を制御することにより、点灯回路５の出力電流Ｉoutを制御できる。
【００８６】
また、照明光の点灯時は、比較回路ＯＡ１２に入力される所定の参照電圧Ｖref1の電圧値を制御するだけで、点灯回路５の出力電流Ｉoutを第１電流範囲内の電流に制御できる。
【００８７】
また、保安光の点灯時は、比較回路ＯＡ１２に入力される所定の参照電圧Ｖref1がパルス幅変調制御されるだけで、点灯回路５の出力電流Ｉoutを第２電流範囲内の電流に制御すると共にパルス幅変調制御することにより、保安光を調光することができる。
【００８８】
≪第１実施形態の変形例≫
第１実施形態では、保安光の点灯時に、スイッチング素子Ｑ１３をＰＷＭ制御することで、比較回路ＯＡ１２に入力される所定の参照電圧Ｖref1をＰＷＭ制御する場合で説明したが、スイッチング素子Ｑ１３を省略して、制御部１１ｂにより直接に、比較回路ＯＡ１２の反転入力端子ｔ２に入力される所定の参照電圧Ｖref1をＰＷＭ制御してもよい（即ち、比較回路ＯＡ１２に入力される所定の参照電圧Ｖref1が所定電圧（例えば前記第２電圧）に制御されると共に前記所定電圧がＰＷＭ制御されてもよい）。この場合は、スイッチング素子Ｑ１３が省略される分、照明装置１の構成を簡素化できる。
【００８９】
≪第２実施形態≫
第１実施形態では、照明光が単色の光により構成される場合で説明したが、本実施形態では、照明光が複数色（例えば暖色と寒色の２色）の光により構成されて、照明光の調色および調光が可能な場合で説明する。以下、図３に基づいて、本実施形態に係る照明装置１Ｂについて、第１実施形態に係る照明装置１と異なる点を中心に説明する。
【００９０】
＜構成説明＞
図３は、本実施形態に係る照明装置の構成概略図である。
【００９１】
本実施形態に係る照明装置１Ｂは、第１実施形態に係る照明装置１において、各ＬＥＤ３の第１光色（例えば２７００Ｋの暖色系の相関色温度の光色）と異なる第２光色（例えば６５００Ｋの寒色系の相関色温度の光色）の光を出射可能な複数のＬＥＤ３Ｂ（第２発光部）と、電源Ｂを用いて複数のＬＥＤ３Ｂに電流を出力（供給）して複数のＬＥＤ３Ｂを点灯駆動する点灯回路（第２点灯回路）５Ｂと、点灯回路１５Ｂから出力された電流Ｉout2を複数のＬＥＤ３Ｂに供給するための給電路７Ｂとを更に備えたものである。照明装置１Ｂでは、各ＬＥＤ３が発光する光と各ＬＥＤ３Ｂが発光する光とが混合することにより照明光が構成される。
【００９２】
各ＬＥＤ３Ｂはそれぞれ、前記第２光色を有するＬＥＤとして構成されており、給電路７Ｂにおいて互いに順方向に直列接続されている。ここでは、各ＬＥＤ３Ｂは、互いに直列接続されて給電路７Ｂに接続されるが、互いに順方向に向けて並列接続されて給電路７Ｂに配設されてもよく、または、直列接続および並列接続を組み合わせて給電路７Ｂに接続されてもよい。
【００９３】
点灯回路１５Ｂは、スイッチング電源回路５１Ｂと、定電流回路５２Ｂとを備えている。
【００９４】
スイッチング電源回路５１Ｂは、第１実施形態のスイッチング電源回路５１と同様に構成される。より詳細には、スイッチング電源回路５１Ｂは、電源Ｂの出力電圧ＶBをＰＷＭ（パルス幅変調）制御するためのスイッチング素子Ｑ２１と、スイッチング素子Ｑ２１の出力パルスのデューティー比に応じて電源Ｂの出力電圧ＶBを変圧して出力する変圧器（例えば高周波変圧器）Ｔ２と、変圧器Ｔ２の出力電流を整流平滑するダイオードＤ２およびコンデンサＣ２と、定電流回路５２Ｂからの制御信号（ここでは光信号）を受光する受光素子ＰＣ２１と、受光素子ＰＣ２１が受光した制御信号に応じてスイッチング素子Ｑ２１をオンオフ制御する制御部ＩＣ２１とを備えている。
【００９５】
ダイオードＤ２およびコンデンサＣ２により整流平滑された変圧器Ｔ２の出力電圧および出力電流がそれぞれ、スイッチング電源回路５１Ｂ（従って点灯回路５Ｂ）の出力電圧Ｖout2および出力電流Ｉout2となる。
【００９６】
変圧器Ｔ２は、環状の鉄心（図示省略）と、前記鉄芯に巻回された１次側巻線ｎ３および２次側巻線ｎ４とを備えている。１次側巻線ｎ３の一端は、第３電源線Ｐ３を介して電源Ｂの陽極に接続され、１次側巻線ｎ３の他端は、スイッチング素子Ｑ２１と第３基準線Ｎ３とを介して電源Ｂの負極に接続されている。２次側巻線ｎ４の一端は、第４電源線Ｐ４に接続され、２次側巻線ｎ４の他端は、ダイオードＤ２を介して第４基準線Ｎ４に接続されている。
【００９７】
なお、第４電源線Ｐ４と第４基準線Ｎ４とは配線Ｈ２を介して相互接続されており、配線Ｈ２上に複数のＬＥＤ３Ｂが接続されている。なお、第４電源線Ｐ４、第４基準線Ｎ４および配線Ｈ２により給電路７Ｂが構成される。
【００９８】
ダイオードＤ２は、第４電源線Ｐ４に順方向接続されている。平滑コンデンサＣ２は、整流ダイオードＤ２のカソード側において、第４電源線Ｐ４と第４基準線Ｎ４とに接続されている。
【００９９】
スイッチング素子Ｑ２１は、例えばＮチャネルＭＯＳＦＥＴとして構成される。スイッチング素子Ｑ２１は、電源Ｂと１次側巻線ｎ３とを繋ぐ配線（例えば第３基準線Ｎ３）上において、スイッチング素子Ｑ２１のコレクタが１次側巻線ｎ３に接続されると共にスイッチング素子Ｑ２１のエミッタが電源Ｂの負極に接続されるように、介装接続されている。スイッチング素子Ｑ２１のベースは、制御部ＩＣ２１に接続されている。
【０１００】
受光素子ＰＣ２１は、例えばフォトトランジスタとして構成されている。受光素子ＰＣ２１のコレクタは、制御部ＩＣ２１に接続され、受光素子ＰＣ２１のエミッタは、第３基準線Ｎ３の分岐点Ｚ２（即ち、電源Ｂの負極とスイッチング素子Ｑ２１との間の点）に接続されている。なお、受光素子ＰＣ２１は、定電流回路５２の発光素子ＰＣ２２と共にフォトカプラを構成している。
【０１０１】
制御部ＩＣ２１は、スイッチング素子Ｑ２１の制御端子に送るパルスのパルス幅を変調することで、電源Ｂから１次側巻線ｎ３に入力される電圧ＶBをＰＷＭ制御する。これにより、２次側巻線ｎ４の両端にパルスのデューティー比に応じた電圧値の電圧Ｖout2が発生する。電圧Ｖout2に応じた電流（即ち、点灯回路５Ｂの出力電流）Ｉout2が、第４電源線Ｐ４、配線Ｈ２、第４電源線Ｎ４および２次側巻線ｎ４の順に流れる。これにより、点灯回路５Ｂの出力電流Ｉout2が、給電路７Ｂを通じて各ＬＥＤ３Ｂに供給される。
【０１０２】
その際、制御部ＩＣ２１は、受光素子ＰＣ２１の受光による制御部ＩＣ２１での通電量に応じて、スイッチング素子Ｑ２１のデューティー比を変化させることで、点灯回路５Ｂの出力電流Ｉout2の電流値を変化させる。ここでは、受光素子ＰＣ２１の受光量が増加すると、制御部ＩＣ２１は、スイッチング素子Ｑ２１のデューティー比を小さくして、点灯回路５Ｂの出力電流Ｉout2を低減させる。また、受光素子ＰＣ２１の受光量が低下すると、制御部ＩＣ２１は、スイッチング素子Ｑ２１のデューティー比を大きくして、点灯回路５Ｂの出力電流Ｉout2を増加させる。
【０１０３】
また、定電流回路５２Ｂは、第１実施形態の定電流回路５２において、スイッチング素子Ｑ１３を省略したものである。より詳細には、定電流回路５２Ｂは、抵抗Ｒ２２と、抵抗Ｒ２２の両端電圧と所定の参照電圧Ｖref2とを入力しそれらの大小比較を行う比較回路ＯＡ２２と、比較回路ＯＡ２２の比較結果に基づいて制御信号（ここでは光信号）を制御部ＩＣ２１に送るフィードバック回路５２ａＢとを備えている。
【０１０４】
抵抗Ｒ２２は、例えば配線Ｈ２における複数のＬＥＤ３Ｂのカソード側に接続されている。
【０１０５】
比較回路ＯＡ２２は、非反転入力端子ｔ４と、反転入力端子ｔ５と、出力端子ｔ６とを有している。非反転入力端子ｔ４は、抵抗Ｒ２２の上流側端部に接続されており、抵抗Ｒ２２の上流側端部の電位（即ち、抵抗Ｒ２２の両端電圧）が入力される。
【０１０６】
反転入力端子ｔ５には、制御装置１１Ｂから常時出力される所定の参照電圧Ｖref2が入力される。
【０１０７】
出力端子ｔ６からは、比較回路ＯＡ２２の大小比較の結果を示す信号が出力され、フィードバック回路５２ａＢに入力される。
【０１０８】
フィードバック回路５２ａＢは、第４電源線Ｐ４と第４基準線Ｎ４との間において、抵抗Ｒ２１、発光素子（例えばフォトダイオード）ＰＣ２２およびスイッチング素子Ｑ２２が直列接続されて構成される。発光素子ＰＣ２２のアノードは、抵抗Ｒ２１に接続され、発光素子ＰＣ２２のカソードは、スイッチング素子Ｑ２２のコレクタに接続されている。スイッチング素子Ｑ２２は、例えばＮＰＮトランジスタとして構成される。スイッチング素子Ｑ２２のコレクタは、第４基準線Ｎ４に接続され、スイッチング素子Ｑ２２のエミッタは、発光素子ＰＣ２２に接続され、スイッチング素子Ｑ２２のベースは、比較回路ＯＡ２２の出力端子ｔ６に接続されている。
【０１０９】
フィードバック回路５２ａＢでは、スイッチング素子Ｑ２２が導通することにより、第４電源線Ｐ４からの電流が、抵抗Ｒ２１、発光素子ＰＣ２２およびスイッチング素子Ｑ２２を通じて第４基準線Ｎ４に流れる。これにより、発光素子ＰＣ２２から当該電流の通電量に応じた輝度の光信号（制御信号）が受光素子ＰＣ２１に発信される。
【０１１０】
また、点灯回路５Ｂでは、スイッチング電源回路５１Ｂの出力電流Ｉout2が給電路７Ｂを通じて各ＬＥＤ３Ｂおよび抵抗Ｒ２２を順に流れて、抵抗Ｒ２２の両端に電圧が発生する。抵抗Ｒ２１の両端に発生した電圧が、比較回路ＯＡ２２の非反転入力端子ｔ４に入力され、比較回路ＯＡ２２により各端子ｔ４，ｔ５に入力された電圧の大小比較が行われる。
【０１１１】
比較回路ＯＡ２２は、電圧の大小比較の結果、抵抗Ｒ２２の両端電圧が所定の参照電圧Ｖref2以上の場合は、比較回路ＯＡ２２の出力端子ｔ６からの出力信号がＨ（ハイ）レベルとなる。これにより、順に、（ｃ１）スイッチング素子Ｑ２２の制御端子への入力電流が増加してスイッチング素子Ｑ２２を導通する電流が増加し、（ｃ２）発光素子ＰＣ２２に流れる電流が増加して発光素子ＰＣ２２の発光量が増加し、（ｃ３）受光素子ＰＣ２１の受光量が増加して制御部ＩＣ２１の通電量が増加する。
【０１１２】
制御部ＩＣ２１は、通電量の増加に応じて、スイッチング素子Ｑ２１のＰＷＭ制御のオン時間を短縮する。これにより、順に、（ｃ４）スイッチング電源回路５１Ｂの出力電圧（即ち、点灯回路５Ｂの出力電圧）Ｖout2が低下してスイッチング電源回路５１Ｂの出力電流（即ち、点灯回路５Ｂの出力電流）Ｉout2が減少し、（ｃ５）抵抗Ｒ２２に流れる電流が減少して抵抗Ｒ２２の両端電圧が低下する。
【０１１３】
つまり、スイッチング電源回路５１Ｂの出力電流Ｉout2が増加して抵抗Ｒ２２の両端電圧が所定の参照電圧Ｖref2以上になると、定電流回路５２Ｂにより、抵抗Ｒ２２の両端電圧が所定の参照電圧Ｖref2に一致するように、スイッチング電源回路５１Ｂが制御されてスイッチング電源回路５１Ｂの出力電流Ｉout2が減少される。
【０１１４】
他方、比較回路ＯＡ２２は、電圧の大小比較の結果、抵抗Ｒ２２の両端電圧が所定の参照電圧Ｖref2未満の場合は、比較回路ＯＡ２２の出力端子ｔ６からの出力信号がＬ（ロー）レベルとなる。これにより、順に、（ｄ１）スイッチング素子Ｑ２２の制御端子への入力電流が減少してスイッチング素子Ｑ２２を導通する電流が減少し、（ｄ２）発光素子ＰＣ２２に流れる電流が減少して発光素子ＰＣ２２の発光量が減少し、（ｄ３）受光素子ＰＣ２１の受光量が減少する。
【０１１５】
制御部ＩＣ２１は、スイッチング素子Ｑ２１のオン時間を長くする。これにより、順に、（ｄ４）スイッチング電源回路５１Ｂの出力電圧Ｖout2が上昇してスイッチング電源回路５１Ｂの出力電流Ｉout2が増加し、（ｄ５）抵抗Ｒ２２に流れる電流が増加して抵抗Ｒ２２の両端電圧が上昇する。
【０１１６】
このように、スイッチング電源回路５１Ｂの出力電流Ｉout2は、比較回路ＯＡ２２の反転入力端子ｔ５に入力される所定の参照電圧Ｖref2に応じた電流（＝（所定の参照電圧Ｖref2）／（抵抗Ｒ２２の抵抗値））に一致するように制御される。
【０１１７】
ここでは、ＬＥＤ３用の点灯回路５の出力電流Ｉout1は、照明光の点灯時は、第１電流範囲（例えば４００〜２０〔ｍＡ〕）内で制御され、保安光の点灯時は、前記第１電流範囲の下限電流値以下または未満の第２電流範囲（例えば２〜０．２〔ｍＡ〕）内で制御される。また、ＬＥＤ３Ｂ用の点灯回路５Ｂの出力電流Ｉout2は、照明光の点灯時は、前記第２電流範囲の上限電流値以上または前記上限電流値よりも大きい電流範囲である第３電流範囲（例えば４００〜２０〔ｍＡ〕）内で制御される。これにより、照明光の光束範囲は例えば４０００〜２０〔ｌｍ〕内で制御される。
【０１１８】
本実施形態の操作入力装置９Ｂは、第１実施形態の操作入力装置９において、更に、照明光の光色を調整する調色操作が入力可能になったものである。
【０１１９】
本実施形態の制御装置１１Ｂは、受信部１１ａと、制御部１１ｂＢとを備えている。受信部１１ａは、第１実施形態の受信部１１ａと同様に構成される。
【０１２０】
制御部１１ｂＢは、受信部１１ａにより受信された操作信号に基づいて、点灯回路５を制御して各ＬＥＤ３を点灯制御すると共に、点灯回路５Ｂを制御して各ＬＥＤ３Ｂを点灯制御する。
【０１２１】
より詳細には、制御部１１ｂＢは、受信部１１ａにより受信された操作信号に、照明光の点灯（即ち、照明光モード）を選択する選択操作が含まれる場合は、所定の輝度および所定の光色（例えば照明光の初期設定輝度および初期設定光色）の照明光が点灯されるように、各点灯回路５，５Ｂを制御して各ＬＥＤ３，３Ｂを発光させる。
【０１２２】
即ち、制御部１１ｂＢは、点灯回路５のスイッチング素子Ｑ１３をオフ制御すると共に、各ＬＥＤ３から第１輝度（即ち、前記所定の光色および前記所定の輝度に対応する各ＬＥＤ３の輝度）の光が発光されるように（即ち、点灯回路５の出力電流Ｉout1が前記第１電流範囲内の第１電流値（即ち、前記第１輝度に対応する電流値）の電流になるように）、点灯回路５の比較回路ＯＡ１２の反転入力端子ｔ２に入力する所定の参照電圧Ｖref1（以後、第１参照電圧Ｖref1と呼ぶ）を前記第１電流値に対応する第１電圧（＝（前記第１電流値）×（抵抗Ｒ１２の抵抗値））に制御する。更に、制御部１１ｂＢは、各ＬＥＤ３Ｂから第３輝度（即ち、前記所定の光色および前記所定の輝度に対応する各ＬＥＤ３Ｂの輝度）の光が発光されるように（即ち、点灯回路５Ｂの出力電流Ｉout2が前記第３電流範囲内の第３電流値（即ち、前記第３輝度に対応する電流値）の電流になるように）、点灯回路５Ｂの比較回路ＯＡ１２の反転入力端子ｔ２に入力する所定の参照電圧Ｖref2（以後、第２参照電圧Ｖref2と呼ぶ）を前記第３電流値に対応する第３電圧（＝（前記第３電流値）×（抵抗Ｒ１２の抵抗値））に制御する。
【０１２３】
これにより、給電路７を通じて点灯回路５から各ＬＥＤ３に前記第１電流値の電流が供給されて、各ＬＥＤ３から前記第１輝度の光が発光されると共に、給電路７Ｂを通じて点灯回路５Ｂから各ＬＥＤ３Ｂに前記第３電流値の電流が供給されて、各ＬＥＤ３Ｂから前記第３輝度の光が発光される。これら各ＬＥＤ３、３Ｂの発光により、前記所定の光色および前記所定の輝度の照明光が点灯される。
【０１２４】
また、制御部１１ｂＢは、照明光の点灯状態で、受信部１１ａにより受信された操作信号に、照明光の輝度を調整する調光操作が含まれる場合は、照明光の光色を保って、照明光の輝度が当該調光操作で指定された所望の輝度となるように、点灯回路５の第１参照電圧Ｖref1を制御して各ＬＥＤ３の輝度を制御すると共に点灯回路５Ｂの第２参照電圧Ｖref2を制御して各ＬＥＤ３Ｂの輝度を制御する。これにより、照明光が当該所望の輝度に調光される。
【０１２５】
また、制御部１１ｂＢは、照明光の点灯状態で、受信部１１ａにより受信された操作信号に、照明光の光色を調整する調色操作が含まれる場合は、照明光の輝度を保って、照明光の光色が当該調色操作で指定された所望の光色となるように、点灯回路５の第１参照電圧Ｖref1を制御して各ＬＥＤ３の輝度を制御すると共に点灯回路５Ｂの第２参照電圧Ｖref2を制御して各ＬＥＤ３Ｂの輝度を制御する。これにより、照明光が当該所望の光色に調色される。
【０１２６】
なお、調光可能な範囲は、例えば、各ＬＥＤ３の第１光色（相関色温度）から各ＬＥＤ３Ｂの第２光色（相関色温度）までの範囲である。即ち、照明光モードでは、複数のＬＥＤ３への第１電流範囲内の電流の供給と複数のＬＥＤ３Ｂへの第３電流範囲内の電流の供給とのうち少なくとも一方が行われて、電流が供給されたＬＥＤ３，３Ｂの全てが点灯される。
【０１２７】
なお、制御部１１ｂＢには、例えば、照明光の輝度および光色と、これら輝度および調色に必要な各ＬＥＤ３，３Ｂの輝度との対応関係が記載されたテープルが記憶されている。制御部１１ｂＢは、前記テーブルを参照して、調光操作または調色操作で指定された照明光の所望の輝度または所望の光色に対応する各ＬＥＤ３，３Ｂの輝度を選択して、照明光の輝度が当該所望の輝度または当該所望の光色となるように、各ＬＥＤ３，３Ｂの輝度を制御している。
【０１２８】
また、制御部１１ｂＢは、受信部１１ａにより受信された操作信号に、保安光の点灯（即ち、保安光モード）を選択する選択操作が含まれる場合は、点灯回路５Ｂを制御して各ＬＥＤ３Ｂを消灯させる。また、この場合は、制御部１１ｂＢは、第１実施形態での保安光を点灯させる場合の動作と同様に、点灯回路５の第１参照電圧Ｖref1を前記第２電流範囲内の第２電流値（例えば、前記第２電流範囲の上限電流値）に対応する第２電圧に制御する。また、この制御と共に、制御部１１ｂＢは、点灯回路５のスイッチング素子Ｑ１３を第１デューティー比（例えば、初期設定デューティー比）でＰＷＭ制御する。これにより、各ＬＥＤ３から前記第２輝度（例えば、保安光の初期設定輝度）の光が発光される。即ち、保安光用の光が点灯される。
【０１２９】
また、制御部１１ｂＢは、保安光の点灯状態で、受信部１１ａにより受信された操作信号に、保安光の調光操作に対応する信号が含まれる場合は、第１実施形態での保安光を調光させる場合の動作と同様に、点灯回路５のスイッチング素子Ｑ１３のデューティー比を制御して、各ＬＥＤ３の輝度（即ち、保安光の輝度）を制御する。これにより、保安光が当該調光操作で指定される所望の輝度に調光される。
【０１３０】
このように、保安光モードでは、複数のＬＥＤ３に第１電流範囲の下限電流値以下で且つ第３電流範囲の下限電流値以下における第２電流範囲内の電流が流され、全てのＬＥＤ３が点灯される。
【０１３１】
なお、制御部１１ｂＢには、例えば、保安光の輝度と、保安光の輝度に必要なＬＥＤ３の輝度との対応関係が記載されたテーブルが記憶されている。制御部１１ｂＢは、前記テーブルを参照して、調光操作で指定された保安光の所望の輝度に対応する各ＬＥＤ３の輝度を選択して、保安光の輝度が当該所望の輝度となるように、各ＬＥＤ３の輝度を制御している。
【０１３２】
＜動作説明＞
次に、図４に基づいて照明装置１Ｂの動作を説明する。図４は、照明装置１Ｂの動作を説明するフローチャートである。
【０１３３】
ステップＵ１で、受信部１１ａは、操作入力装置９Ｂから送信される操作信号を受信可能な状態で待機する。操作入力装置９Ｂに照明光の点灯（即ち、照明光モード）を選択する選択操作が入力された場合（ＹＥＳ）は、照明装置１Ｂは処理がステップＵ２に進む。他方、操作入力装置９Ｂに照明光の点灯を選択する選択操作が入力されない場合（ＮＯ）は、照明装置１Ｂは処理がステップＵ５に進む。
【０１３４】
ステップＵ２では、操作入力装置９Ｂに入力された操作（即ち、照明光の点灯を選択する選択操作）の内容を含む操作信号が、操作入力装置９Ｂから制御装置１１Ｂの受信部１１ａに送信される。受信部１１ａは、操作信号を受信する。次に、制御部１１ｂＢは、受信部１１ａにより受信された操作信号に含まれる選択操作に応じて、所定の光色および所定の輝度（例えば照明光の初期設定光色および初期設定輝度）の照明光が点灯されるように、各点灯回路５，５Ｂを制御して各ＬＥＤ３，３Ｂを発光させる。
【０１３５】
より詳細には、制御部１１ｂＢは、点灯回路５のスイッチング素子Ｑ１３をオフ制御すると共に、各ＬＥＤ３から第１輝度（例えば照明光の点灯時の各ＬＥＤ３の初期設定輝度）の光が発光するように（即ち、点灯回路５の出力電流Ｉout1が前記第１電流範囲内の第１電流値（即ち、前記第１輝度に対応する電流値）の電流になるように）、点灯回路５の比較回路ＯＡ１２の反転入力端子ｔ２に入力される第１参照電圧Ｖref1を前記第１電流値に対応する第１電圧に制御する。更に、制御部１１ｂＢは、各ＬＥＤ３Ｂから第３輝度（例えば照明光の点灯時の各ＬＥＤ３Ｂの初期設定輝度）の光が発光するように（即ち、点灯回路５Ｂの出力電流Ｉout2が前記第３電流範囲内の第３電流値（即ち、前記第３輝度に対応する電流値）の電流になるように）、点灯回路５Ｂの比較回路ＯＡ１２の反転入力端子ｔ２に入力される第２参照電圧Ｖref2を前記第３電流値に対応する第３電圧に制御する。これにより、前記所定の輝度および前記所定の光色の照明光が点灯される。次に、照明装置１Ｂは処理がステップＵ３に進む。
【０１３６】
ステップＵ３では、受信部１１ａは、操作入力装置９Ｂから送信される操作信号を受信可能な状態で待機する。操作入力装置９Ｂに照明光の調光操作または調色操作が入力された場合（ＹＥＳ）は、照明装置１Ｂは処理がステップＵ４に進む。他方、操作入力装置９Ｂに照明光の調光操作および調色操作の何れも入力されない場合（ＮＯ）は、照明装置１Ｂは処理がステップＵ１に戻る。
【０１３７】
ステップＵ４では、操作入力装置９Ｂに入力された操作（即ち、照明光の調光操作または調色操作）の内容を含む操作信号が、操作入力装置９Ｂから制御装置１１Ｂの受信部１１ａに送信される。受信部１１ａは、操作信号を受信する。次に、制御部１１ｂＢは、受信部１１ａにより受信された制御信号に含まれる当該操作の内容に応じて、照明光の輝度または光色が当該操作で指定された所望の輝度または所望の光色となるように、点灯回路５の第１参照電圧Ｖref1を制御して各ＬＥＤ３の輝度を制御すると共に点灯回路５Ｂの第２参照電圧Ｖref2を制御して各ＬＥＤ３Ｂの輝度を制御する。これにより、照明光が、当該所望の輝度に調光されまたは当該所望の光色に調色される。次に、照明装置１Ｂは処理がステップＵ１に戻る。
【０１３８】
ステップＵ５では、受信部１１ａは、操作入力装置９Ｂから送信される操作信号を受信可能な状態で待機する。操作入力装置９Ｂに保安光の点灯（即ち、保安光モード）を選択する選択操作が入力された場合（ＹＥＳ）は、照明装置１Ｂは処理がステップＵ６に進む。他方、操作入力装置９Ｂに保安光の点灯を選択する選択操作が入力されない場合（ＮＯ）は、照明装置１Ｂは処理がステップＵ９に進む。
【０１３９】
ステップＵ６では、操作入力装置９Ｂに入力された操作（即ち、保安光の点灯を選択する選択操作）の内容を含む操作信号が、操作入力装置９Ｂから制御装置１１Ｂの受信部１１ａに送信される。受信部１１ａは操作信号を受信する。次に、制御部１１ｂＢは、受信部１１ａにより受信された制御信号に含まれる選択操作に応じて、点灯回路５Ｂを制御して各ＬＥＤ３Ｂを消灯する。更に、制御部１１ｂＢは、点灯回路５の第１参照電圧Ｖref1を前記第２電圧に制御する。また、この制御と共に、制御部１１ｂＢは、点灯回路５のスイッチング素子Ｑ１３を前記第１デューティー比でＰＷＭ制御する。これにより、各ＬＥＤ３から第２輝度（例えば保安光の初期設定輝度）の光が発光する。即ち、保安光が点灯される。次に、照明装置１Ｂは処理がステップＵ７に進む。
【０１４０】
ステップＵ７では、受信部１１ａは、操作入力装置９Ｂから送信される操作信号を受信可能な状態で待機する。操作入力装置９Ｂに保安光の調光操作が入力された場合（ＹＥＳ）は、照明装置１Ｂは処理がステップＵ８に進む。他方、操作入力装置９Ｂに保安光の調光操作が入力されない場合（ＮＯ）は、照明装置１Ｂは処理がステップＵ９に進む。
【０１４１】
ステップＵ８では、操作入力装置９Ｂに入力された操作（即ち、保安光の調光操作）の内容を含む操作信号が、操作入力装置９Ｂから制御装置１１Ｂの受信部１１ａに送信される。受信部１１ａは操作信号を受信する。次に、制御部１１ｂＢは、受信部１１ａにより受信された操作信号に含まれる調光操作に応じて、点灯回路５Ｂを制御して各ＬＥＤ３Ｂを消灯させた状態で、点灯回路５のスイッチング素子Ｑ１３のデューティー比を制御して、各ＬＥＤ３の輝度（即ち、保安光の輝度）を制御する。これにより、保安光が当該調光操作で指定された所望の輝度に調光される。次に、照明装置１Ｂは処理がステップＵ１に戻る。
【０１４２】
ステップＵ９では、受信部１１ａは、操作入力装置９Ｂから送信される操作信号を受信可能な状態で待機する。操作入力装置９Ｂに照明光及び保安光の消灯を選択する操作（消灯操作）が入力された場合（ＹＥＳ）は、照明装置１Ｂは処理がステップＵ１０に進む。他方、操作入力装置９Ｂに照明光及び保安光の消灯を選択する操作が入力されない場合（ＮＯ）は、照明装置１Ｂは処理がステップＵ１に戻る。
【０１４３】
ステップＵ１０では、制御部１１ｂＢは、受信部１１ａに受信された操作信号に含まれる消灯操作に応じて、各ＬＥＤ３，３Ｂが消灯するように点灯回路５，５Ｂを制御する。次に、照明装置１Ｂは処理が終了する。
【０１４４】
このように、照明装置１Ｂでは、照明用の各ＬＥＤ３の全てが保安光用の発光部として兼用されると共に、照明用の点灯回路５が保安光用の点灯回路として兼用されて、保安光の点灯および調光が行われる。
【０１４５】
＜主要な効果＞
以上のように構成された照明装置１Ｂによれば、ＬＥＤ３と異なる光色が出射可能で且つ照明光を点灯可能なＬＥＤ３Ｂと、ＬＥＤ３Ｂを点灯駆動する点灯回路５Ｂとを更に備えるので、ＬＥＤ３が出射する第１光色の光とＬＥＤ３Ｂが出射する第２光色の光とを組み合わせて照明光を構成することができ、光色が調整可能な照明光を点灯できる。即ち、調色可能な照明装置１Ｂに対しても、本発明に係る照明装置を適用できる。
【０１４６】
具体的には、複数のＬＥＤ３への第１電流範囲内の電流の供給と複数のＬＥＤ３Ｂへの第３電流範囲内の電流の供給とのうち少なくとも一方が行われて、電流が供給されたＬＥＤ３，３Ｂの全てが点灯される照明光モードと、複数のＬＥＤ３に第１電流範囲の下限電流値以下で且つ第３電流範囲の下限電流値以下における第２電流範囲内の電流が流され、全てのＬＥＤ３が点灯される保安光モードとを有するので、照明光用のＬＥＤ３の全てが保安光用の発光部として用いられる。そのため、照明光用の点灯回路５を保安光用の点灯回路に兼用でき、保安光専用の点灯回路と、照明用の点灯回路５と保安光専用の点灯回路とを切り替えるための切替部とを別途備える必要がなくなるので、構成の複雑化および製造コストの増加を防止して、保安灯機能を実行することができる。
【０１４７】
また、ＬＥＤ３と異なる光色が出射可能で且つ照明光を点灯可能なＬＥＤ３Ｂと、ＬＥＤ３Ｂを点灯駆動する点灯回路５Ｂとを更に備えるので、ＬＥＤ３が出射する第１光色の光とＬＥＤ３Ｂが出射する第２光色の光とを組み合わせて照明光を構成することができ、光色が調整可能な照明光を点灯できる。即ち、調色可能な照明装置１Ｂに対しても、本発明に係る照明装置を適用できる。
【０１４８】
なお、第１実施形態、第１実施形態の変形例および第２実施形態の各々の技術範囲には、照明装置だけでなく、照明装置の点灯制御方法も含まれる。
【０１４９】
≪付帯事項≫
以上、添付図面を参照しながら本発明の好適な実施形態について説明したが、本発明は斯かる例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１５０】
また、第１実施形態、第２実施形態および第１実施形態の変形例のうちの何れか２つ以上を組み合わせた発明についても、当然に本発明の技術的範囲に属するものと解される。
【産業上の利用可能性】
【０１５１】
本発明は、保安光を点灯する機能を有する照明装置への適用に最適である。
【符号の説明】
【０１５２】
１，１Ｂ  照明装置
３  ＬＥＤ（第１発光部、発光部）
３Ｂ  ＬＥＤ（第２発光部）
５  点灯回路（第１点灯回路）
５Ｂ  点灯回路（第２点灯回路）
１１ｂ，１１ｂＢ  制御部（制御部）
Ｉout1  出力電流
【図１】
2014049406.tif 000003
【図２】
2014049406.tif 000004
【図３】
2014049406.tif 000005
【図４】
2014049406.tif 000006